(57)【要約】【課題】  カメラを携帯せずに、簡易な操作で記念写真を撮影、閲覧、印刷できるようにすること、さらに一般の人が立ち入れない場所から撮影を可能とする。【解決手段】  記念写真として適当な場所に予め撮影装置を設置しておき、予め識別情報を記憶したICタグをかざすだけで撮影、撮影画像を識別情報と関連付けて記憶管理し、ICタグをかざすだけで撮影した写真の閲覧や印刷を可能とする。また、ICタグにポイントを割り当て、これを中央で管理し、サービス受ける毎にサービス分のポイントを差し引くことにより課金を行う。インターネット経由で閲覧する際には、ICタグによるサービスにおいて利用者が入力した情報をICタグ識別番号と関連付けて記憶管理し、ICタグ識別番号とこの入力情報を用いて利用者認証を行う。【選択図】図1
2005286454.tif 000002
【特許請求の範囲】
【請求項１】
公開された場所に予め設置され、静止画又は動画の撮影を行う撮影装置、前記公開された場所あるいは他の場所に予め設置され、撮影された静止画又は動画を記憶する記憶管理装置、前記公開された場所に予め設置され、記憶された前記静止画や前記動画の閲覧及び印刷を行う閲覧・印刷装置を備えた映像記録配信システムにおいて、
前記撮影装置は、利用者によって携帯され識別番号が付与された記憶媒体を認識した場合に、前記記憶媒体から前記識別番号を読み取り、撮影を行い、
前記撮影装置は、撮影して得られた静止画あるいは動画を、前記記憶媒体から読み取られた前記識別番号に対応付けて、前記記憶管理装置に記憶し、
前記閲覧・印刷装置は、前記記憶媒体を認識した場合に、前記記憶媒体から前記識別番号を読み取り、前記記憶媒体から読み取られた前記識別番号に対応する静止画又は動画を前記記憶管理装置から読み出し、読み出された前記静止画又は動画を出力することを特徴とする映像記録配信システム。
【請求項２】
請求項１の映像記録配信システムにおいて、
前記記憶媒体は、利用者が受けるサービスの対価を示すポイントを記憶し、
前記記憶管理装置は、利用者が撮影あるいは閲覧又は印刷のサービスを利用した場合に、前記サービスの対価として予め定められたポイント数を前記記憶媒体内のポイント数から減算し、個々の前記記憶媒体の残存ポイントを管理し、
撮影、閲覧あるいは印刷サービスを利用する際に、前記撮影装置又は前記閲覧・印刷装置は、前記利用履歴管理装置に、前記サービスの対価分のポイントが前記記憶媒体に残存しているかの判定を依頼し、残存する場合に、撮影、閲覧あるいは印刷を行うことを特徴とする映像記録配信システム。
【請求項３】
請求項１又は２の映像記録配信システムにおいて、
前記映像記録配信システムが設置された場所以外に設置された端末から、前記記憶媒体内の前記識別番号をネットワーク経由で受信した場合に、受信された前記識別番号に対応する静止画又は動画を前記記憶管理装置から読み出し、読み出された前記静止画又は動画を前記端末へ出力するネットワーク管理装置を備えることを特徴とする映像記録配信システム。
【請求項４】
請求項３の映像記録配信システムにおいて、
前記記憶管理装置は、前記利用者の利用履歴情報を前記記憶媒体の識別番号と関連付けて記憶し、
前記ネットワーク管理装置は、前記記憶媒体内の前記識別番号と共に受信された前記利用者の利用履歴情報が前記記憶管理装置内の前記利用履歴情報と一致した場合に、利前記利用者が正当であることを認証する映像記録配信システム。
【請求項５】
請求項４の映像記録配信システムにおいて、
前記利用履歴情報は、利用日時及び利用場所を含むことを特徴とする映像記録配信システム。
【請求項６】
請求項１の映像記録配信システムにおいて、
前記撮影装置は、移動体上の利用者が撮影ポイントに移動してきたことを検出した場合に、撮影を行うことを特徴とする映像記録配信システム。
【請求項７】
請求項６の映像記録配信システムにおいて、
前記撮影装置は、利用者の移動体上の位置情報を取り込み、移動体の位置情報と利用者の前記移動体上の位置情報を基に、利用者が撮影ポイントに移動してきたことを検出することを特徴とする映像記録配信システム。
【請求項８】
公開された場所に予め設置され、静止画又は動画の撮影を行う撮影装置、前記公開された場所あるいは他の場所に予め設置され、撮影された静止画又は動画を記憶する記憶管理装置、前記公開された場所に予め設置され、記憶された前記静止画や前記動画の閲覧及び印刷を行う閲覧・印刷装置を備えた映像記録配信システムにおいて、
前記撮影装置は、利用者によって携帯され識別番号が付与された記憶媒体からの識別番号及び利用者の移動体上の位置情報を利用者が乗車する移動体から受信し、移動体の位置情報と利用者の前記移動体上の位置情報を基に、利用者が撮影ポイントに移動してきたことを検出し、検出結果に応じて撮影を行い、
前記撮影装置は、撮影して得られた静止画あるいは動画を、前記記憶媒体から読み取られた前記識別番号に対応付けて、前記記憶管理装置に記憶し、
前記閲覧・印刷装置は、前記記憶媒体を認識した場合に、前記記憶媒体から前記識別番号を読み取り、前記記憶媒体から読み取られた前記識別番号に対応する静止画又は動画を前記記憶管理装置から読み出し、読み出された前記静止画又は動画を出力することを特徴とする映像記録配信システム。
【発明の詳細な説明】
【技術分野】
【０００１】
予め設置された静止画や動画の撮影装置、撮影した静止画画像あるいは動画画像を記憶する記憶管理装置、これらを閲覧やプリントアウトする閲覧・印刷装置からなる映像記録配信システムにおいて、利用者が、利用者を特定するICタグあるいは非接触型のICカードを携帯し、これを前記撮影装置や閲覧・印刷装置のICタグあるいは非接触型のICカード読み取り機にかざすことにより、静止画や動画の撮影、閲覧あるいは印刷を行うことができる映像記録配信システムに関する。
【背景技術】
【０００２】
特許文献１には、テーマパークや遊園地などにカメラを持参せずに撮影できるようにするために、識別子をつけた画像記憶カードをもちいて、カメラのレンタルの管理および撮影画像の記憶を行い、カードの記憶容量が少ない時には他の大容量記憶装置への移し変えが可能な、撮影記録システムが記載されている。
【０００３】
特許文献２には、撮影動作を指示する撮影指示手段および被写体をデジタル画像として撮影する撮影手段を有する少なくとも１つの撮影システムと、デジタル画像を出力する画像出力システムと、撮影システムから画像出力システムへデジタル画像の画像データを通信する手段と、画像データと顧客とを対応付ける識別情報を付与する識別情報付与手段を有し、この識別情報により顧客を識別して、画像出力システムから出力された出力画像を顧客に引き渡すことが記載されている。
【０００４】
特許文献３には、写真撮影所において顧客の写真撮影を行う際に、予め顧客を特定して識別するための顧客識別符号が付与されたその顧客を被写体としてデジタル画像撮影手段によってデジタル画像の撮影を行うとともにデジタル画像を顧客識別符号に関連付けて画像記録手段に記録し、画像記録手段に記録されたデジタル画像を表示手段に表示し、表示されたデジタル画像の中から所望のデジタル画像を選択し、選択されたデジタル画像の情報と顧客識別符号とが関連付けられて構成されるオーダ情報を作成することが記載されている。
【０００５】
【特許文献１】特開2003-244596号公報
【特許文献２】特開2001-148822号公報
【特許文献３】特開2003-37798号公報
【発明の開示】
【発明が解決しようとする課題】
【０００６】
背景技術においては、家庭からテーマパーク等までカメラを持ち歩かなくても良いと言う利点はあるが、テーマパーク内においてはレンタルしたカメラを持ち歩く必要がある。またレンタルのため、日ごろ使い慣れないカメラの操作が必要で、高齢者や年少者には、利用が難しい問題があった。
【０００７】
また、テーマパークのアトラクションによっては、良い撮影ポイントであっても、来場客の立ち入りが禁止されている所も多く、カメラアングルに制限ができる問題があった。
【０００８】
本発明の目的は、カメラの携帯が不要で、撮影操作が簡単で、かつ、来場客が立ち入れない場所であっても撮影装置が設置可能であれば、そこからの撮影を可能とし、撮影した静止画や動画を閲覧印刷装置にて、利用者が簡易に、閲覧や印刷ができるシステム及び方法を提供することである
【課題を解決するための手段】
【０００９】
撮影装置が、利用者によって携帯され識別番号が付与された記憶媒体を認識した場合に、記憶媒体から識別番号を読み取り、撮影を行い、撮影して得られた静止画あるいは動画を、記憶媒体から読み取られた識別番号に対応付けて、記憶管理装置に記憶し、閲覧・印刷装置が、記憶媒体を認識した場合に、記憶媒体から識別番号を読み取り、記憶媒体から読み取られた識別番号に対応する静止画又は動画を記憶管理装置から読み出し、読み出された静止画又は動画を出力する。
【発明の効果】
【００１０】
本発明によれば、カメラの携帯が不要で、撮影操作が簡単で、かつ、来場客が立ち入れない場所であっても撮影装置が設置可能であれば、そこからの撮影を可能とし、撮影した静止画や動画を閲覧印刷装置にて、利用者が簡易に、閲覧や印刷ができる。
【発明を実施するための最良の形態】
【００１１】
（１）予め、もっぱら撮影を行う撮影ステーション、もっぱら撮影済みの静止画や動画を表示、再生し、また、プリントアウトを行う閲覧・印刷ステーション、利用履歴を管理する利用履歴管理サーバ、撮影した静止画や動画を記憶管理するコンテンツ管理サーバ、撮影した写真や映像をインターネット等の公衆ネットワークから閲覧できようにするネットワークサービス管理サーバを設置し、ネットワークにて相互に接続しておく。特に、撮影ステーションは記念写真に適する場所に設置しておく。
（２）利用者を識別できるように、重複のない識別番号を記憶しているICタグあるいは非接触型のICカード（記憶媒体）を利用者が携帯し、利用者がこれを撮影ステーションのICタグあるいは非接触型のICカードリーダにかざすことにより、撮影ステーションにおいて、一連の撮影処理シーケンスが起動し、記念写真の撮影・記録が行なわれる。なお、ICタグおよび非接触型ICカードは、無線によりリーダと通信することによる非接触性を実現し、しかも、暗号通信や機器認証機能を有しているため、安全性の高いもので、一般で使用されていものであり、その詳細な説明は省略する。
（３）撮影した静止画や動画を、ICタグあるいは非接触型のICカードの識別番号、すなわち、ICタグあるいは非接触型のICカード識別番号と関連づけてコンテンツ管理サーバに記憶管理し、撮影の利用履歴を利用履歴管理サーバに記憶管理する。
（４）利用者が、閲覧・印刷ステーションのICタグあるいは非接触型のICカードリーダーに、携帯しているICタグあるいは非接触型のICカードをかざすことにより、閲覧・印刷ステーションは、撮影ステーションにより撮影され、ICタグの識別番号と関連付けられてコンテンツ管理サーバに記憶されている静止画や動画を表示し、また、印刷する。
（５）1枚のICタグあるいは非接触型のICカードで受けられる撮影や閲覧などのサービスの範囲をポイントで管理し、ICタグあるいは非接触型のICカード毎に一定ポイントを付与しておく。一方、各サービスについても、予め、サービスの対価としてポイントを定めておき、各サービスを受ける際には、サービス対価分のポイントを該ICタグあるいは非接触型のICカードのポイントから減算して、ICタグあるいは非接触型のICカードの残存ポイントを利用履歴管理サーバにて管理する。利用者がサービスを受ける際には、サービス対価分だけ、該ICタグあるいは非接触型のICカードにポイントが残っているかで、その利用者がサービス享受可能かを判定する。
（６）ICタグあるいは非接触型のICカードは一定の価格で販売し、あるいは料金のキャージを行うことにより、サービス毎に料金を支払う煩わしさを解消する。
（７）撮影ステーションより撮影された静止画や動画をネットワークサービス管理サーバから配信し、家庭のパーソナルコンピュータあるいは携帯電話等から閲覧可能とする。
（８）ICタグあるいは非接触型のICカードを用いた記念写真撮影記録以外のサービスを提供し、この際に利用者が入力した情報を利用者履歴管理サーバで記憶管理し、インターネット経由で閲覧する際に、ICタグあるいは非接触型のICカードのつけられたICタグあるいは非接触型のICカード識別番号以外に、過去のサービスの履歴情報を基に認証を行うことにより、利用者の匿名性を維持しながら、より安全性の高いサービスを提供する。
【００１２】
このようにすることにより、特にカメラを持ち歩かなくとも、簡易に記念写真を撮影し、また、閲覧、印刷することが出来る。さらに、サービスの履歴情報を用いることによりネットワーク経由で遠隔からも安全に静止画や動画を閲覧、印刷することが出来る。
【実施例１】
【００１３】
図１は本発明の記念写真撮影記憶システム全体構成を示す。本システムは、記念写真や映像を撮影する撮影ステーション１、撮影した静止画や動画を閲覧し、プリントアウトする閲覧・印刷ステーション２、利用履歴を管理し、特にICタグに割り当てられたポイントを管理し、サービス対価分のポイントが残っているかでサービスの可否を判定し、また、遠隔からの閲覧のための利用者認証用に利用履歴を記憶管理する利用履歴管理サーバ４、撮影した静止画や動画をICタグ識別番号と関連させて記憶管理するコンテンツ管理サーバ５、インターネット８を介して、静止画や動画の閲覧を可能とするネットワークサービス管理サーバ６、上記装置群を相互に接続するLAN７（ローカルエリアネットワーク）、ネットワークサービス管理サーバ６からインターネット８により接続され、宅内に設置されたパーソナルコンピュータ９、インターネット８、携帯電話網により接続される携帯電話１０、ICタグを貼り付け、テーマパークのロゴや説明等を印刷したICタグカード１１、閲覧・印刷ステーション２にて、印刷装置１０４から出力されるプリント写真１を備える。なお、ICタグカード１１を単にICタグと記述するが、ICタグカードと同義である。また、ICタグは、利用者がICタグリーダにかざすことにより、ICタグ内に記憶されているICタグの識別番号が無線にてICタグリーダに送信され、ICタグリーダがICタグ識別番号を読み取ることができるものである。ICタグの識別番号は、ICタグごとに一意に決定される識別情報である。撮影ステーション１にはICタグを読み込むためのICタグリーダ１０１、電子情報として静止画や動画を撮影するためのカメラ１０２、撮影ステーションの操作を行うための入力装置１０３、例えば数値を入力するテンキーボードが接続されている。閲覧・印刷ステーション２には、ICタグリーダ１０１、閲覧・印刷する画像を選択するための入力装置１０３、該画像を印刷のための印刷装置１０４が接続されている。
【００１４】
図２に撮影ステーション１の詳細な構成を示す。マイクロプロセッサ、主メモリ、補助記憶装置、メモリ制御部、バス制御部およびオペレーティングシステムからなるプロセッサ１０１には、撮影ステーションの機能を実現ためのプログラムが動作する。表示部１０２は画面上に文字や画像を表示するものであり、プロセッサ１０１からの表示指示に従い、表示すべき映像情報を生成する表示制御部１０２１、画面を構成する液晶パネルなどのディスプレイ装置１０２２からなる。通信部１０６はLAN７経由で他の装置とTCP/IPプロトコル等で通信をおこなうためのものである。バス１０７は、PCIバスで構成され、プロセッサ１０１と表示部１０２、ICタグリーダ１０３、カメラ１０４、入力装置１０５および通信部１０６とを接続するものである。プロセッサ１０１は、記念写真撮影処理全般を制御するプログラム群である撮影統合制御部１０１１、カメラ１０４からの映像の取り込み、プレビュー表示、映像圧縮等をおこなう映像制御部１０１２、入力装置からのデータの取り込みを行う入力装置制御部１０１３、撮影カウントダウンためのタイマ管理部１０１４、LAN７経由での通信を制御する通信制御部１０１５からなる。撮影統合制御部１０１１は、撮影処理全般の処理手順を制御する撮影シーケンス制御部１０１１、記念写真撮影のためのサービス待ち受け画面や図５に示した撮影サービス画面等の画面を表示する画面表示部１０１２、ICタグに残されたポイントにより、記念写真撮影のサービスを享受できるかどうかを、利用履歴管理サーバ４に問い合わせて判定する撮影可否判定部１０１３、記念写真撮影記録サービスを受けたことを利用履歴管理サーバ４に登録する利用履歴登録部１０１４からなる。例えば、利用履歴管理サーバ４内の利用履歴テーブル４１に、利用者のレコードを追加することにより、記念写真撮影記録サービスを受けたことを利用履歴管理サーバ４に登録する。映像制御部１００２は、カメラ１０３からの動画情報を撮影サービス画面内のプレビュー表示部１０２２１に表示するプレビュー表示部１０１２１、プレビューしている動画から、撮影する静止画あるいは動画を取り込む映像取得部１０１２２、取り込んだ静止画あるいは動画を圧縮し、データサイズを縮小する映像圧縮部１０１２３、圧縮した映像情報をコンテンツ管理サーバ５に登録する映像登録部１０１２４からなる。
【００１５】
閲覧・印刷ステーションの詳細構成を図３に示す。プロセッサ２０１とカメラ部１０４の代わりに写真の印刷を行う印刷装置２０４があること以外は撮影ステーション１と同様の構成をしている。プロセッサ２０１は、閲覧・印刷の処理全体を制御する閲覧・印刷統合制御部２０１１、映像の表示や印刷を行う映像制御部２０１２、入力装置制御部１０１３、閲覧・印刷サービスに一定の時間制限を課すためのタイマ管理部１０１４、通信制御部１０１５からなる。閲覧・印刷統合制御部２０１１は、閲覧・印刷処理手順を制御するシーケンス制御部２０１１１、閲覧および印刷サーブビスのための画面をディスプレイ装置１０２２に表示する画面表示部２０１１２、該ICタグに残存するポイントで、閲覧・印刷サービスを受けることができるかを判定する閲覧・印刷可否判定部２０１１３、撮影済みの写真や映像から閲覧・印刷する静止画や動画を選択する詳細画像選択部２０１１３、閲覧・印刷サービスを受けたことを利用者履歴管理サーバ４に登録する利用者履歴登録部２０１１５からなる。映像制御部２０１２は、詳細画像選択部２０１１４のために、いままで撮影した静止画や動画のサムネールを表示するサムネール表示部２０１２１、選択された写真や映像を表示する詳細映像表示部２０１２２、選択された写真や映像を印刷する詳細映像印刷部２０１２３からなる。
【００１６】
図４に利用履歴サーバ４において記憶、管理しているテーブルを示す。図４（ａ）の利用履歴テーブル４１には、サービスを受けた時のICタグ識別番号であるICタグID４１１、受けたサービスを識別するサービス識別子４１２、サービスを受けた日時であるサービス日時４１３、提供されたサービスの一連番号であるサービス通し番号４１４のフィールドを含む。なお、ICタグの識別番号を簡単にIDと記述する。TCタグ識別番号とICタグIDは同義である。図４（ｂ）のアカウントテーブル４２には、サービスを受けたICタグID４２１、ICタグの発行日４２２、ICタグに残っているポイントであるポイント残高４２３のフィールドを含む。尚、アカウントテーブル４２は、利用履歴サーバ４の代わりにICタグに記憶されてもよい。図４（ｃ）のサービス付帯情報テーブル４３には、利用履歴情報が記憶され、サービス通し番号４３１、撮影場所を示す撮影ポイント、閲覧した場所を示す閲覧ポイントなど情報の種類を示す情報種別識別子４３２、撮影ポイント、閲覧ポイントなどのサービス付帯情報４３３のフィールドを含む。図４（ｄ）のサービス定義テーブル４４には、サービスの種別を示すサービス識別子４４１、サービスを受けるのに必要なポイントであるサービスポイント４４２、サービスの名称であるサービス名４４３のフィールドを含む。図４（ｅ）に、サービス定義テーブルの内容の例をサービス定義テーブル内容例４５として示す。写真撮影サービスについては、サービス識別子が１０００１、サービスポイントが１００、サービス名が“写真撮影”であること、写真閲覧については、サービス識別子が１０００２、サービスポイントが２０、サービス名が“写真閲覧”であること、写真プリントについては、サービス識別子が１０００３で、サービスポイントが５０、サービス名が“写真プリント”であることをそれぞれ示している。図４（ｆ）のサービス付帯情報定義テーブル４６は、サービス付帯情報テーブル４３における付帯情報の種別を示す情報種別識別子４６１、付帯情報の名称を示す情報名４６２のフィールドからなる。図４（ｇ）に、サービス付帯情報定義テーブル４６の例をサービス付帯情報定義例４７として示す。情報種別識別子が２０００１のものの情報名が“撮影ポイント”、同じく、２０００２が“閲覧ポイント”、同じく２０００３が“印刷ポイント”である。
【００１７】
図５は撮影サービス画面で、記念写真撮影・記録のために利用者がICタグを撮影ステーションのICタグリーダにかざすことにより、撮影ステーション１のディスプレイ装置１０２２上に表示されるものである。画面の右側にプレビュー表示部１０２２１、すなわち、カメラ１０２にて取り込まれている動画映像が表示される。左側には、記念写真であることを示す文字、また、利用者がポーズをとることができるように、実際に撮影される、すわなち、プレビューされている動画映像の中から、実際に保存する静止画や動画の取り込みを開始するまでの時間がカウントダウン表示される。
【００１８】
図６は、パーソナルコンピュータ９からインターネット８経由で、インターネットブラウザにより以前に撮影・記録した写真や映像を閲覧する場合の画面である。利用者認証のために、ICタグ識別番号、誕生日、好きな色、好きな季節の入力が促され、利用者により入力された値により利用者認証が行われる。
【００１９】
以上の各部分の説明を基に、撮影処理の手順、撮影済みの静止画や動画の閲覧および印刷処理の手順、およびインターネット経由での静止画や動画の閲覧処理の手順を説明する。
【００２０】
図７に撮影処理手順、すなわち、撮影ステーション１の処理フロー２０、利用履歴管理サーバ４の処理フロー３０、コンテンツ管理サーバ５の処理フロー４０とこれらの連携処理を示す。
【００２１】
撮影ステーション１の動作が開始すると、ステップ２０１にてICタグリーダ１０１からICタグ識別番号を読み込む。ステップ２０２にて読み込みが成功したかを判定し、失敗した場合には、一定時間間隔をあけて、ステップ２０１にもどり、読み込みを繰り返す。成功した場合には、ステップ２０３に進み、該ICタグに残されているポイントにより撮影サービスを提供できるかを判定するために、利用履歴管理サーバ４にICタグ識別番号と撮影サービスであることを示すサービス識別子を送り問い合わせる。
【００２２】
利用履歴管理サーバ４は、ステップ３０１にて、撮影ステーション１から送られてきたICタグ識別番号を基に、アカウントテーブル４２からポイント残高４２３と、同じくサービス識別子を基に、サービス定義テーブル４４から撮影サービスに必要なポイント、サービスポイント４４２を検索する。サービスポイント４４２がポイント残高４２３以下かを判定して、以下の場合をサービス可とし、そうでない場合を不可と判定する。この結果を撮影ステーション１に応答として返す。なお、撮影ステーション１と利用履歴管理サーバ４間はLAN７経由でTCP/IPプロトコルにて通信を行えは良い。
【００２３】
ステップ２０４にて、利用履歴管理サーバ４からの応答を判定して、撮影できない場合には、その旨を示す表示を撮影ステーション１のディスプレイ装置１０２２上に表示する。その後、撮影サービスを待ち受けるための画面に戻る。撮影可能な場合には、ステップ２０６にて図５に示した撮影サービス画面を表示し、プレビュー表示を開始する。ステップ２０７にてカントダウン表示を行い、カウントダウン満了になると、ステップ２０８にて撮影、すなわち、保存する静止画や動画を取得する。なお、カメラ１０２からの動画や静止画の取り込み処理や表示は、一般に良く知られている事項であり、本発明とは直接関連が無いので、処理の詳細についての説明は省略する。ステップ２０９にて、取得した静止画や動画をJPEG形式やMPEG形式等に圧縮して、ICタグ識別子とともに、コンテンツ管理サーバ５に送る。なお、静止画や動画の圧縮処理は、現在一般に良く知られた技術であり、本発明に直接関連しないので詳細な説明は省略する。
【００２４】
コンテンツ管理サーバ５では、ステップ４０１にて、撮影画像をICタグ識別番号とともに記録保存する。ステップ２１０にて、利用履歴を登録するために、利用履歴管理サーバ４に、サービス識別子およびICタグ識別番号を送る。利用履歴管理サーバ４は、ステップ３０２にて、利用履歴テーブル４１に、送られてきたICタグ識別番号およびサービス識別子、利用履歴管理サーバ４のタイマ管理から得られたサービス日時、利用履歴管理サーバ４で管理しているサービス通し番号４１４を登録する。なお、サービス通し番号４１４は、本システムで提供したサービスを識別するための一貫番号で、利用履歴管理サーバ４は、サービス通し番号を発行する毎に１カウントアップする。また、サービス識別子から、サービス定義テーブル４４を用いて得られたサービスポイント４４２を、アカウントテーブル４２のポイント残高４２３から差し引く。さらに、報告が行われたディスプレイステーションから、撮影ポイントを判定し、サービス付帯情報テーブル４３に、“撮影ポイント”を登録する。ステップ２１１にて、撮影を待ち受ける画面に戻り、新たな利用者を待ち受ける。
【００２５】
図８に、撮影済みの写真や映像の閲覧処理手順、すなわち、閲覧・印刷ステーション２の処理フロー５０、利用履歴管理サーバ４の処理フロー６０、コンテンツ管理サーバ５の処理手順７０を示す。
【００２６】
閲覧・印刷ステーション２の動作が開始すると、ステップ５０１にてICタグリーダからICタグ識別番号を読み込む。ステップ５０２にて読み込みが成功したかを判定し、失敗した場合には、一定時間間隔をあけて、ステップ５０１にもどり、読み込みを繰り返す。成功した場合には、ステップ５０３に進み、該ICタグに残されているポイントにより閲覧サービスが提供できるかを判定するために、利用履歴管理サーバ４にICタグ識別番号と閲覧サービスであることを示すサービス識別子を送り問い合わせる。
【００２７】
利用履歴管理サーバ４は、ステップ６０１にて、撮影サービス同様に該ポイント残高４２３が該サービスポイント４４２を上回っているかを判定して、結果を閲覧・印刷ステーション２に応答として返す。なお、閲覧・印刷ステーション２と利用履歴管理サーバ４間は、LAN７経由でTCP/IPプロトコルにて通信を行えば良い。
【００２８】
ステップ５０４にて、利用履歴管理サーバ４からの応答を判定して、閲覧できない場合には、その旨を示す表示を閲覧・印刷ステーション２のディスプレイ装置１０２２上に表示する。その後、閲覧および印刷を待ち受けるための画面に戻る。閲覧可能な場合には、ステップ５０６にて、コンテンツ管理サーバ５に、読み込んだICタグ識別番号を送り、この識別番号と関連付けられて記憶、管理されている静止画や動画のサムネール、すなわち、静止画や動画の内容を確認するために小さな画像を要求する。
【００２９】
コンテンツ管理サーバ５は、ICタグ識別番号に対応する静止画や動画のサムネールを作成して、サムネールとサムネールが表す静止画や動画の識別情報、すなわち、コンテンツ識別子の組を閲覧・印刷ステーション２に送り返す。
【００３０】
ステップ５０７にて送られてきたサムネールを表示する。ステップ５０８にて、閲覧したい静止画や動画を利用者に選択させ、選択された写真や映像のコンテンツ識別子をコンテンツ管理サーバ５に送り、詳細な静止画像や動画を要求する。
【００３１】
ここで、静止画や動画の選択は、サムネールに番号を付与して表示し、利用者に入力装置１０３から該当番号を入力してもらえば良い。また、サービス時間に制限を設けるために、入力時間に一定の制限時間(例えば、３分)を設け、時間経過を画面上に表示して、時間内に入力するように利用者に促す。もしも、制限時間を越えた場合には処理を中止し、閲覧・印刷待ち受け画面に戻る。
【００３２】
コンテンツ管理サーバ５は、要求された静止画や動画を閲覧・印刷ステーション２に送り返す。
【００３３】
ステップ５０９にて、送られてきた詳細な静止画や動画を表示する。ステップ５１０にて、利用履歴を登録するために、利用履歴管理サーバ４に、サービス識別子およびICタグ識別番号を送る。
【００３４】
利用履歴管理サーバ４は、ステップ３０２にて、利用履歴テーブル４１に、送られてきたICタグ識別番号およびサービス識別子、利用履歴管理サーバ４のタイマ管理から得られたサービスの日時、利用履歴管理サーバ４で管理しているサービス通し番号登録する。また、サービス識別子からサービス定義テーブル４４を用いて得られた該サービスポイント４４２を、アカウントテーブル４２の該ポイント残高４２３から差し引く。さらに、報告が行われた閲覧・印刷ステーションから、閲覧ポイントを判定し、サービス付帯情報テーブル４３に、“閲覧ポイント”を登録する。ステップ５１１にて、閲覧・印刷を待ち受ける画面に戻り、新たな利用者を待ち受ける。
【００３５】
なお、ここでは、コンテンツ管理サーバ５にて、要求がある度にサムネール画像を作成しているが、静止画や動画を登録する際にサムネール画像を作成して、記憶しておいても良い。
【００３６】
図９に、撮影済みの静止画の印刷処理手順、すなわち、閲覧・印刷ステーション２の処理フロー８０、利用履歴管理サーバ４の処理フロー９０、コンテンツ管理サーバ５の処理手順１００を示す。
【００３７】
閲覧・印刷ステーション２の動作が開始すると、ステップ８０１にてICタグリーダからICタグ識別番号を読み込む。ステップ８０２にて読み込みが成功したかを判定し、失敗した場合には、一定時間間隔をあけて、ステップ８０１にもどり、読み込みを繰り返す。成功した場合には、ステップ８０３に進み、該ICタグに残されているポイントにより印刷サービスが提供できるかを判定するために、利用履歴管理サーバ４にICタグ識別番号と閲覧サービスであることを示すサービス識別子を送り問い合わせる。
【００３８】
利用履歴管理サーバ４は、ステップ９０１にて、該ポイント残高４２３が該サービスポイント４４２を上回っているかを判定して、結果を閲覧・印刷ステーション２に応答として返す。
【００３９】
ステップ８０４にて、利用履歴管理サーバ４からの応答を判定して、印刷できない場合には、その旨を示す表示を閲覧・印刷ステーション２のディスプレイ装置１０２２上に表示する。その後、閲覧および印刷を待ち受けるための画面に戻る。印刷可能な場合には、ステップ８０６にて、コンテンツ管理サーバ５に、読み込んだICタグ識別子を送り、この識別番号で撮影した静止画のサムネールを要求する。
【００４０】
コンテンツ管理サーバ５は、ステップ１００１にて、ICタグ識別番号に対応する静止画のサムネールを作成して、サムネールと静止画のコンテンツ識別子を組みにして閲覧・印刷ステーション２に送り返す。ステップ８０７にて送られてきたサムネールを表示する。ステップ８０８にて、閲覧したい静止画を利用者に選択させ、選択された静止画のコンテンツ識別子をコンテンツ管理サーバ５に送り、詳細な静止画を要求する。この時、閲覧サービスと同様に、入力装置１０３を用いて選択させ、また、選択に一定の制限時間を設ける。コンテンツ管理サーバ５は、ステップ１００２にて、要求された静止画を閲覧・印刷ステーション２に送り返す。
【００４１】
ステップ８０９にてコンテンツ管理サーバ５から送られてきた詳細静止画を表示するとともに印刷装置１０４に印刷する。ステップ８１０にて、利用履歴を登録するために、利用履歴管理サーバ４に、サービス識別子およびICタグ識別番号を送る。
【００４２】
利用履歴管理サーバ４は、ステップ３０２にて、利用履歴テーブルに、送られてきたICタグ識別番号およびサービス識別子、利用履歴管理サーバ４のタイマ管理から得られたサービス日時、利用履歴管理サーバ４で管理しているサービス通し番号を登録する。
【００４３】
また、サービス識別子から、サービス定義テーブル４４を用いて得られた該サービスポイント４４２を、アカウントテーブル４２の該ポイント残高４２３から差し引く。さらに、報告が行われた閲覧・印刷ステーションから、閲覧ポイントを判定し、サービス付帯情報テーブル４３に、“印刷ポイント”を登録する。ステップ８１１にて、閲覧あるいは印刷サービスを待ち受ける画面に戻り、新たな利用者を待ち受ける。
【００４４】
なお、閲覧処理と印刷処理の区別は、ICタグリーダ１０１を、閲覧用と印刷用の２つ設けておき、閲覧用のICタグリーダにICタグをかざした時は閲覧、印刷用のICタグリーダの場合は印刷とする。また、サービスの最初に、利用者が入力装置１０４から閲覧と印刷を指定しても良い。
【００４５】
以上により、ICタグをICタグリーダにかざすことにより、ポイント管理を含む一連の印刷処理が行われる。
【００４６】
図１０に、撮影され、記憶管理された静止画や動画をインターネット経由で閲覧する際の処理手順、すなわち、パーソナルコンピュータの処理フロー１１０、ネットワークサービス管理サーバ６の処理フロー１２０、利用履歴管理サーバ４の処理フロー１３０を示す。
【００４７】
パーソナルコンピュータ９からの閲覧処理はインターネットブラウザにより実行される。まず、ステップ１１０１に、ネットワークサービス管理サーバ６に記憶されている記念写真閲覧用ホームページを開くために、このホームページを構成するHTMLファイルや画像ファイルを要求することから始まる。すなわち、このホームページのURLをネットワークサービス管理サーバ６に送る。
【００４８】
ネットワークサービス管理サーバ６は、このホームページを構成するHTMLファイルや画像ファイルをパーソナルコンピュータ９に送り返す。
【００４９】
ステップ１１０２にて、図６に示したようなホームページを表示し、ICタグ識別番号、以前に利用者がうけたサービス利用履歴に関する情報の入力を促す。利用者が、図６に示したように、ICタグ識別番号、来場日、撮影したポイント、閲覧したポイント、印刷したポイントを入力する。すなわち、ICタグ識別番号および来場日はキーボードから数値を直接入力する。撮影したポイント、閲覧したポイント、印刷したポイントは、該当する場所のボタンをマウスで選択する。もしも、サービスを受けなかった場合には、“無”と表記したボタンを選択する。
【００５０】
上記入力後、送信ボタンを押下すると、ステップ１１０３に移り、これらの情報がネットワークサービス管理サーバ６に送られる。なお、ICタグ識別番号は、ICタグが貼られているICタグカード１１上に印刷されているものとする。
【００５１】
ネットワークサービス管理サーバ６は、ステップ１２０２にて、これらの情報を受け取り、利用者が正しい利用者か、利用できるポイントを持っているかを判定するために、利用者履歴管理サーバ４に受け取った情報を渡して問い合わせる。
【００５２】
利用者履歴管理サーバ４は、ステップ１３０１にて、撮影サービスと同様にして入力されたICタグ識別番号にサービスを受けるだけのポイントが残っているかを判定する。
【００５３】
さらに、サービス付帯情報定義テーブル４３に、来場日、撮影ポイント、閲覧ポイント、印刷ポイントの情報が登録されているか判定する。すなわち、利用履歴テーブル４１をICタグ識別番号で検索して、サービス通し番号を得る。来場日、撮影ポイント、閲覧ポイント、印刷ポイントの情報種別識別子をサービス付帯情報定義テーブル４６を用いて得る。このサービス通し番号と、来場日、撮影ポイント、閲覧ポイント、印刷ポイントの情報種別識別子４６１を用いて、サービス付帯情報テーブル４３を検索する。撮影ポイント、閲覧ポイント、印刷ポイントの組み合わせが一致するか否かを検索条件とすることが好ましいが、少なくとも１つのが一致するか否かを検索条件としてもよい。
【００５４】
検索されたサービス付帯情報４３３の値が、インターネット経由で送られてきた値と一致するかを判定する。すべて一致したら、正しい利用者とみなす。なお、ICタグ識別番号で検索した時に、複数のサービス通し番号が存在し、それぞれのサービス通し番号に該当するサービス付帯情報テーブル４３のサービス付帯情報４３３が異なる場合には、１つでも一致した場合には、その情報については一致したと判定する。また、サービス通し番号と情報種別識別子で、サービス付帯情報テーブル４３を検索したときにサービス付帯情報が登録されていない場合には、安全性を考慮して正しい利用者とは判定しない。閲覧可否の判定結果を、ネットワークサービス管理サーバ６に応答する。なお、不正閲覧を防止するために、同一ICタグ識別番号にて一定回数認証が失敗した場合には、その後一定時間の認証は受け付けない。この場合には、その旨をネットワークサービス管理サーバ６に返す。
【００５５】
ステップ１２０３にて、閲覧可の場合は、ICタグ識別番号から、同識別番号の静止画や動画のサムネールをコンテンツ管理サーバ５に要求して、サムネールと詳細静止画あるいは動画のコンテンツ識別子と組にして得て、これを表示するページのHTMLファイルや画像ファイルにしてをパーソナルコンピュータ９に送る。認証失敗あるいは認証不受理で閲覧不可の場合は、その旨を示すページのHTMLデータをパーソナルコンピュータ９に送る。ステップ１１０４にて、サムネールあるいは閲覧不可を示すページを表示する。閲覧不可の場合はここで一連の処理を終わる。マウスで所望の写真や映像のサムネールをクリックすることにより、所望の画像選択すると、ステップ１１０５にて、所望静止画あるいは動画のコンテンツ識別子をネットワークサービス管理サーバ６に送る。ステップ１２０４にて、受け取ったコンテンツ識別子を基に、コンテンツ管理サーバ５から所望の静止画あるいは動画ファイルを得て、これをHTMLファイルと静止画ファイルあるいは動画ファイルにして、パーソナルコンピュータ９に送る。ステップ１１０６にて、送られてきた静止画あるいは動画を表示する。ステップ１１０７にて利用履歴を登録するために、ICタグ識別番号、サービス識別子をネットワークサービス管理サーバ６に送る。ステップ１２０５において、受け取ったICタグ識別番号、サービス識別子を利用履歴管理サーバ４に送り、閲覧完了を報告する。ステップ１３０２にて、利用履歴管理テーブル４１に登録するとともに、アカウントテーブル４２のポイント残高から同閲覧サービス分差し引く。
【００５６】
以上により、一連のインターネット経由での撮影写真や映像の閲覧処理が、安全に行われる。
【００５７】
また、携帯電話１０のブラウザにおいても、閲覧する画像の大きさを小さなものとして携帯電話に送る他はパーソナルコンピュータと同様な処理が可能である。
【００５８】
以上の実施例の説明により、ICタグを撮影ステーションのICタグリーダにかざすだけで、予め設置されている撮影装置により記念写真や記念映像が撮影・保存され、同じくICタグを閲覧・印刷ステーションのICタグリーダにかざすだけで、撮影済みの記念写真や記念映像を閲覧あるいはプリントアウトすることができる。
【００５９】
また、ICタグを一定の対価で販売する、あるいはポイントのチャージに課金することにより、記念写真や記念映像の撮影や閲覧・印刷サービスの対価の支払いを行うことができ、サービス毎に現金の徴収を行う煩わしさがない。
【００６０】
さらに、ICタグを用いたサービスの履歴情報を保存管理し、これを元にして利用者認証を行うことにより、より安全性の高い記念写真のネットワークを経由した遠隔からの閲覧が可能となる。特に、利用者の氏名、住所、電話番号、メールアドレス等を用いず、利用者の匿名性を維持しながら、認証を行っている点に注意されたい。
【００６１】
また、本発明の映像記録配信システムの設置者側としては、以前に来場したときの記念写真や記念映像を、ICカードをかざすだけで閲覧ができるため、利用者が再来場することが期待できる利点がある。
【００６２】
実施例の変形例として、ICタグに割り当てられたポイントが無くなった場合に、ポイントを補充できるようにしても良い。
【００６３】
また、インターネット経由のアクセスの際に、ICタグ識別番号を入力させているが、ICタグ識別番号とは別の識別番号を利用者に与え、例えばICタグカードに印刷しておき、この識別番号とICタグ識別番号の対応を、とっておくことにより、利用者この識別番号を入力してもらい、ICタグ識別番号に変換しても良い。
【００６４】
上記実施例ではICタグを用いて操作を行っているが、利用者識別情報を含む非接触型のICカードや携帯電話を用いても良い。なお、ICタグを含めて、正式に発行されたICタグあるいはICカードであることを証明する機器認証機能をICタグ、ICカードおよびこれらのリーダに備えるのが好ましい。
【００６５】
本発明によれば、特にカメラ携帯しなくとも、ICタグを所定のICタグリーダにかざすことにより、記念写真や記念映像の撮影を行うことができる。この時、非接触で使い勝手の良い操作が可能で、接触不良による信頼性低下が無い利点がある。
【００６６】
さらに、重複のないICタグ識別番号と関連づけて記念写真や記念映像を記憶管理しているため、利用者が記念写真や記念映像を特定する情報を特に入力することなく、ICタグを所定のリーダにかざすだけで、以前に撮影したサムネールを表示することができ、サムネールの中から所望の記念写真や記念映像を選択するとにより、所望の記念写真や記念映像を閲覧、プリントを行うことが出来る。
【００６７】
また、ICタグ毎に、サービス利用対価としてポイントを管理しているために、ICタグを一旦購入すれば、撮影、閲覧・印刷等のICタグを用いたサービスにおいては、サービス毎に料金の支払う煩雑さがない。
【００６８】
これらのサービスの利用状況を、ICタグ識別番号を基にして利用履歴として記憶管理して、これを利用者認証に用いることにより、インターネット経由閲覧においても、利用者の匿名性を維持しながら、安全な閲覧が可能となる。
【００６９】
また、テーマパーク等で、一般の人が入れない場所、例えばアトラクションの中に撮影装置を設置することにより、普通では撮影出来ない記念写真や記念映像が撮影可能な利点がある。
【００７０】
また、設置者側からは、記念写真や記念映像の撮影サービスによる収入の他に、撮影した写真や映像を再来場時、ICタグをかざしただけで閲覧することができ、再来場を興味深くすることにより、再来場を促す効果が期待される。
【実施例２】
【００７１】
上記実施例１では、撮影ステーション１にカメラ１０２が付属し、接続されている構成となっているが、カメラ１０２が撮影ステーション１を設置出来ない場所、テーマパーク内のアトラクション、例えばジェットコースターの中であっても良い。
【００７２】
図１１に示したように、カメラ１０２をジェットコースター１６内の撮影に適した位置に設置し、ジェットコースター１６の車両１６１内の各座席にアクセスポイント１４と無線にて通信可能なICタグリーダ１０１１を装備し、乗車時に利用者がICタグカードをかざすことにより、アクセスポイント１４を経由して、撮影制御装置１３にて撮影要求を受け付ける。この時に、利用履歴管理サーバにて、利用可否判定および利用履歴の登録をおこなっても良い。
【００７３】
車両１０１１が撮影ポイントに来たことをセンサ１５が検出すると、この情報を撮影制御装置１３に送る。撮影制御装置１３は、読み込み先のICタグリーダ１６１から利用者の座席位置を識別して、その座席位置に最適なタイミングでカメラ１０２に撮影指示を出し、撮影映像情報をコンテンツサーバ５に登録する。以上の一連の処理により、撮影ステースション１による場合と同様に、映像情報および利用履歴情報がそれぞれ、コンテンツ管理サーバ５、利用履歴管理サーバ４に蓄積されることになる。前記最適な撮影タイミングは、ジェットコースターの各位置での車両速度は一定の範囲にあるため、利用者の座席の位置が最適な撮影ポイントにいることは容易に算出可能である。あるいは、利用者の座席の位置を直接センサ１５で検出しても良い。
【００７４】
閲覧については、上記実施例のとおりに行えば良い。図１１では、ネットワークサービス管理サーバ６以下、ネットワーク経由の閲覧サービスのための機器を省略しているが、これらが接続されていても良い。なお、車両１６１内のICタグリーダ１０１１にて、撮影要求を受け付けたが、撮影ステーションで受付、車両１６１内のICタグリーダ１０１１は、撮影タイミングの制御のみに用いても良い。
【００７５】
このようにすることにより、アトラクション内での記念写真のように、通常では撮影できない記念写真の撮影が可能となる。
【図面の簡単な説明】
【００７６】
【図１】本発明の実施例１の全体システム構成を示す図。
【図２】撮影ステーションの内部構成を示す図。
【図３】閲覧・印刷ステーションの内部構成を示す図。
【図４】利用履歴サーバ内テーブルのデータ構造を示す図。
【図５】記念写真撮影サービスのための表示画面を示す図。
【図６】インターネット経由での記念写真閲覧サービスのための表示画面を示す図。
【図７】記念写真撮影処理実行手順を示すシーケンス図。
【図８】記念写真閲覧処理実行手順を示すシーケンス図。
【図９】記念写真印刷処理実行手順を示すシーケンス図。
【図１０】インターネット経由での記念写真閲覧の実行手順を示すシーケンス図。
【図１１】本発明の実施例２の全体システム構成を示す図。
【符号の説明】
【００７７】
１・・・撮影ステーション
２・・・閲覧・印刷ステーション
４・・・利用者履歴管理サーバ
５・・・コンテンツ管理サーバ
６・・・ネットワークサービス管理サーバ
７・・・LAN
８・・・インターネット
９・・・パーソナルコンピュータ
１０・・ブラウザ付携帯電話
１１・・ICタグカード
４１・・利用履歴テーブル
４２・・アカウトテーブル
４３・・サービス付帯情報テーブル
４４・・サービス定義テーブル
４６・・サービス付帯情報定義テーブル
１０１・・・ＩＣタグリーダ
１０２・・カメラ
１０３・・・入力装置
１０４・・・印刷装置
【図１】
2005286454.tif 000003
【図２】
2005286454.tif 000004
【図３】
2005286454.tif 000005
【図４】
2005286454.tif 000006
【図５】
2005286454.tif 000007
【図６】
2005286454.tif 000008
【図７】
2005286454.tif 000009
【図８】
2005286454.tif 000010
【図９】
2005286454.tif 000011
【図１０】
2005286454.tif 000012
【図１１】
2005286454.tif 000013